(57)【要約】【課題】液体散布器に用いられるノズル組立体の管長部分を、特にそれを伸縮させる操作が簡単で且つ収納時に究極的に小型化を達成できるノズル組立体を提供する。【解決手段】ハンドル部分とノズル部分１８と、それらの間を連結する管長部分１７とを備えている、液体散布器のノズル組立体である。管長部分１７は、継ぎ手２１を介して連結される少なくとも２本の管長部材１９，２０を有しており、継ぎ手２１は、管長部材１９，２０のそれぞれの軸方向に直交する軸Ｘの周りに回動可能にして且つ任意の回動位置にて停止可能な少なくとも２つの継ぎ手部材２２，２３を有している。【選択図】図３
2004066083.tif 000002
【特許請求の範囲】
【請求項１】
ハンドル部分（１６）とノズル部分（１８）と、それらの間を連結する管長部分（１７）とを備えている、液体散布器のノズル組立体であって、
上記管長部分（１７）は、上記ノズル組立体の全長寸法を短縮できる折り畳み手段（２１）を備えていることを特徴とする、液体散布器のノズル組立体。
【請求項２】
ハンドル部分（１６）とノズル部分（１８）と、それらの間を連結する管長部分（１７）とを備えている、液体散布器のノズル組立体であって、
上記管長部分（１７）は、継ぎ手（２１）を介して連結される少なくとも２本の管長部材（１９，２０）を有しており、
上記継ぎ手（２１）は、上記管長部材（１９，２０）のそれぞれの軸方向に直交する軸（Ｘ）の周りに回動可能にして且つ任意の回動位置にて停止可能な少なくとも２つの継ぎ手部材（２２，２３）を有していることを特徴とする、液体散布器のノズル組立体。
【発明の詳細な説明】
【０００１】
【発明の属する技術分野】
本発明は、液体散布器のノズル組立体に係り、特に、ハンドル部分とノズル部分との間を連結する管長部分に関する。
【０００２】
【従来の技術】
液体散布器として、例えば農薬などの散布を行う園芸用噴霧器は、一般に、タンク内液体を霧状態またはシャワー状態にして散布を行うためのノズル組立体を備えている。尚、ここで「散布」と言う用語を用いているのは、「散布」の用語には、液体を霧状にして散布する場合のほか、シャワー状や他の噴出状態にして散布する場合も含めていることを意図するものである。
【０００３】
通常の噴霧器ないし散布器におけるノズル組立体は、ホースの先端に接続して使用者が手で持つハンドル部分と、このハンドル部分から先へ延びて、例えば高い樹木の枝や葉にも薬液を散布できるように、適当な長さの複数本の管を連結して十分な長さにできる管長部分と、管長部分の先端に取りつけられるノズル部分とからなる。
【０００４】
ここで、特に管長部分で複数本の管を連結する構造について注目すると、そのような構造として一般に知られているものの第１の例は、内径の大きい管の中に内径の小さい管を順に挿入したタイプのものである。この例では、内径の小さい管を引き出すことによって全体を伸長することができ、逆に内径の小さい管を内径の大きい管の中に押し込むことで全体を短くすることができる。一般に、使用時に伸長させ、収納時に縮長させる。この例の場合、伸長時の連結部分で強固な連結を得るために、細い管が十分な重なり長さをもって太い管の中に入っていなければならない。したがって、その分だけの内側管の長さを伸長分として利用することができない。また、連結部分での十分なシール性を得るためにはシールリングを内蔵した締付け具が必要であり、そのような締付け具は各管よりも太くなるので、収納時に全体を最短に縮長させた状態でも締付け具だけは管の外に出ることになり、その分だけ全長が長くなってしまう。
【０００５】
第２の例は、同一径の複数本の管が、それぞれ軸方向端部に継ぎ手具が取り付けられており、その継ぎ手具で接続部を締付け固定して必要本数だけ管を継ぎ足すタイプのものである。この例では、いくらでも必要なだけ長さを延ばすことができる利点はあるが、管を継ぎ足す際、そして分解する際に、全ての継ぎ手具を締付けたり緩めたりする作業が必要となり、使用者にとっては煩わしい。また、不使用の管は別に保管しておかなければならない。すなわち、大規模な作業では用いられても、例えば家庭でのガーデニングなどには大袈裟な装備である。
【０００６】
一方、家庭でのガーデニングのように小規模で手軽に行われる園芸では、道具自体も小型で簡便なものが望まれ、噴霧器においてもそのような工夫が期待される。
【０００７】
【発明が解決しようとする課題】
したがって本発明は、液体散布器に用いられるノズル組立体の管長部分を、特にそれを伸縮させる操作が簡単で且つ収納時に究極的に小型化を達成できるノズル組立体を提供しようとするものである。
【０００８】
【課題を解決するための手段】
本発明に係る液体散布器のノズル組立体は、上述のような課題を解決し、もって目的を達成するために以下のような構成を備えている。すなわち、ハンドル部分とノズル部分と、それらの間を連結する管長部分とを備えている、液体散布器のノズル組立体であって、上記管長部分は、上記ノズル組立体の全長寸法を短縮できる折り畳み手段を備えている。
【０００９】
或いは、ハンドル部分とノズル部分と、それらの間を連結する管長部分とを備えている、液体散布器のノズル組立体であって、上記管長部分は、継ぎ手を介して連結される少なくとも２本の管長部材を有しており、上記継ぎ手は、上記管長部材のそれぞれの軸方向に直交する軸の周りに回動可能にして且つ任意の回動位置にて停止可能な少なくとも２つの継ぎ手部材を有している。
【００１０】
【発明の実施の形態】
図１は、本発明に係るノズル組立体が採用される蓄圧式噴霧器の正面図である。図中１０は、農薬等の薬液と希釈水とを入れるタンクである。１１は、タンク１０内を加圧するピストンおよびシリンダを有する手押し式加圧ポンプであり、図にはポンプ１１のハンドルが描かれている。１２は薬液注入口のキャップであり、その中央に安全弁１３が取り付けられている。１４はノズル組立体であり、ホース１５を介してタンク１０に連結されている。
【００１１】
この噴霧器は、例えば、家庭でのガーデニングのように、少量で草花に殺虫剤等の農薬を噴霧するのに適するように、容量２リットル程度の小型タンクを有している。
【００１２】
図２は、図１に示したノズル組立体１４の側面図である。ノズル組立体１４は、ホース１５の先端に接続して使用者が手で持つハンドル部分１６と、このハンドル部分から先へ延びて、例えば高い樹木の枝や葉にも薬液を噴霧できるように、適当な長さの複数本の管を連結して十分な長さにできる管長部分１７と、管長部分の先端に取りつけられるノズル部分１８とからなる。ハンドル部分１６およびノズル部分１８は従来のものと変わらないが、管長部分１７は独創的な構成を備えている。特に図２から解るように、管長部分１７は、途中で二つに折れ曲がるように、ハンドル部分１６側の第１管長部材１９と、ノズル部分１８側の第２管長部材２０と、それらの間を連結する継ぎ手２１とからなっている。
【００１３】
図３は、第１管長部材１９、継ぎ手２１、および第２管長部材２０の構造を示す部分断面図である。この図は、第１管長部材１９に対して第２管長部材２０を折り畳んだ収納状態を示している。継ぎ手２１は、第１継ぎ手部材２２の雌凹部内に第２継ぎ手部材２３の雄凸部が図に示すように挿入されることによって第１継ぎ手部材２２および第２継ぎ手部材２３が結合しており、第１継ぎ手部材２２に対して第２継ぎ手部材２３が軸Ｘの周りに回動可能になっている。図中２４は、第１継ぎ手部材２２と第２継ぎ手部材２３との間からの漏れを防ぐシールリングである。
【００１４】
第１継ぎ手部材２２に対する第２継ぎ手部材２３の回動は、第１継ぎ手部材２２の雌凹部内周面の溝と、第２継ぎ手部材２３の雄凸部の径方向の突起とが断続的に噛合うことで、所謂ラチェット機構による小刻みで間欠的な回転動作とすることができ、第１継ぎ手部材２２に対する所望の回転位置で第２継ぎ手部材２３を停止させることができる。すなわち、第１管長部材１９と第２管長部材２０をまっすぐに延ばした位置で第２継ぎ手部材２３を停止させることもできるが、特に、第１管長部材１９と第２管長部材２０とが、例えば「へ」字状に屈曲された状態で第２継ぎ手部材２３を停止させることもできる。また、収納時には、第１管長部材１９と第２管長部材２０とを、ちょうど図３に示すように二つ折りにすれば、最もコンパクトにするとこができる。
【００１５】
特に「へ」字状に屈曲した状態は、家庭でのガーデニングでプランターや花壇に水遣りをしたり、除草剤を散布するのに適している。この場合、ノズル部分１８は、例えば図４に示すようなシャワー噴口のヘッド２５に取り換えることができる。このようにして用いると、特に除草剤は、これを散布目的の箇所以外の箇所へ飛散させることがない。このような第１継ぎ手部材２２に対する第２継ぎ手部材２３の回転および停止は極めて簡単な操作であり、特に家庭でのガーデニングに婦人や高齢者が取り扱う場合にも、パイプ（管長部材）の接続や分解等の複雑な操作を必要としないので失敗なく便利に行える。
【００１６】
また、ハンドル部分１６の長さと第１管長部材１９の長さとの和が、第２管長部材２０の長さにほぼ等しくなるようにすると、収納時のノズル組立体１４の全長は、最長伸長時の半分にすることができる。
【００１７】
従来の噴霧器において、ノズルヘッドの向きを変えることで噴霧方向を変えるものはよく知られている。しかし、このように管長部分を折り曲げることによって噴霧方向を変えるものはなく、このことは、特に家庭ガーデニングでの使用に適しており、さらには収納時のコンパクト化と、その操作性の簡略化も究極的に達成される。
【図面の簡単な説明】
【図１】本発明に係るノズル組立体が採用される蓄圧式噴霧器の正面図である。
【図２】図１に示したノズル組立体の側面図である。
【図３】ノズル組立体の第１管長部材、継ぎ手、および第２管長部材の構造を示す部分断面図である。
【図４】シャワー噴口ヘッドを示す部分断面図である。
【符号の説明】
１０　タンク
１１　加圧ポンプ
１２　キャップ
１３　安全弁
１４　ノズル組立体
１５　ホース
１６　ハンドル部分
１７　管長部分
１８　ノズル部分
１９　第１管長部材
２０　第２管長部材
２１　継ぎ手
２２　第１継ぎ手部材
２３　第２継ぎ手部材
２４　シールリング
２５　シャワー噴口ヘッド
【図１】
2004066083.tif 000003
【図２】
2004066083.tif 000004
【図３】
2004066083.tif 000005
【図４】
2004066083.tif 000006